(57)【要約】【課題】ＰＷＭ方式でインバータ駆動されるモールドモータにおいて、出力負荷、外部環境変化しても軸受の電食の発生を抑制する。【解決手段】固定子鉄心１１には、固定子鉄心１１を絶縁するインシュレータとしての樹脂２１が介在して、固定子巻線１２が巻装されている。そして、このような固定子鉄心１１は、他の固定部材とともにモールド材としての絶縁樹脂１３にてモールド成形されている。本実施の形態では、これらの部材をこのようにモールド一体成形することにより、外形が概略円筒形状をなす固定子１０が構成されている。固定子１０の内側には、空隙を介して回転子１４が挿入されている。回転子１４は、回転子鉄心３１を含む円板状の回転体３０と、回転体３０の中央を貫通するようにして回転体３０を締結したシャフト１６とを有している。【選択図】図１
2013174280.tif 000002
【特許請求の範囲】
【請求項１】
互いに対向して回転可能に配置された内側駆動輪及び外側駆動輪と、この内側駆動輪及び外側駆動輪に挟まれて転動可能に組み込まれた複数の転動体と、これら転動体を一定間隔で回転自在に保持する保持器とを備える玉軸受において、前記保持器は電気的伝導性を有する樹脂にて構成される玉軸受。
【請求項２】
請求項１記載の玉軸受において、保持器を構成する樹脂の電気的導電性の上限値が１×１０4Ω／ｍである玉軸受。
【請求項３】
巻線を巻装した固定子鉄心をモールド樹脂によってモールドした固定子と、前記固定子に対向して周方向に永久磁石を保持した回転体と、前記回転体の中央を貫通するように前記回転体を締結したシャフトとを含む回転子と、前記シャフトを支持する玉軸受と、前記玉軸受を固定する２つの導電性のブラケットとを備え、前記２つのブラケットを電気的に接続し、かつ、前記シャフトと前記回転体の外周との間に誘電体層を設けた電動機において、互いに対向して回転可能に配置された内側駆動輪及び外側駆動輪と、この内側駆動輪及び外側駆動輪に挟まれて転動可能に組み込まれた複数の転動体と、これら転動体を一定間隔で回転自在に保持する保持器とを備える玉軸受であり、前記保持器は電気的伝導性を有する樹脂にて構成される玉軸受を具備するモールドモータ。
【発明の詳細な説明】
【技術分野】
【０００１】
本発明は、玉軸受とそれを装備するモールドモータに関する。特に軸受の耐電食性を向上するように改良された玉軸受とそれを装備するモールドモータに関する。
【背景技術】
【０００２】
近年、モータの駆動方式としては、モータの可変速性や高効率化のために、パルス幅変調（Ｐｕｌｓｅ  Ｗｉｄｔｈ  Ｍｏｄｕｌａｔｉｏｎ）方式（以下、適宜、ＰＷＭ方式という）のインバータにより駆動する方式を採用するケースが多くなってきている。
【０００３】
しかしながら、ＰＷＭ方式のインバータ駆動の場合、巻線の中性点電位が零とならないため、軸受の外輪と内輪間に電位差（以下、軸電圧という）を発生させる。軸電圧は、スイッチングによる高周波成分を含んでおり、軸電圧が軸受内部の油膜の絶縁破壊電圧に達すると、軸受内部に微小電流が流れ軸受内部に電食が発生する。電食が進行した場合、軸受内輪、軸受外輪または軸受ボールに波状摩耗現象が発生して異常音に至ることがあり、電動機における不具合の主要因の１つとなっている。
【０００４】
また、家電機器の送風機駆動用等に使用されるモータは、低騒音かつ低振動であることが強く要求されており、この要求に応えるため、ステータコア及び巻線更に場合によっては電子部品が搭載された回路基板等を合成樹脂で一体に成形したモールドモータが主流となっている。
【０００５】
このモールドモータでは、モールド材が樹脂のため軸受を固定するには強度が不十分であり、樹脂成形のため寸法精度が悪く、伝達負荷で発生したラジアル方向の力によって軸受とブラケットとの間で滑り現象によるクリープが発生しやすくなるため、予め鋼板で加工され寸法精度の良好な金属製のブラケットを軸受の固定に用いることが一般的になっているが、固定子がブラケットから絶縁されるために、固定子側のインピーダンスが高くなり、軸受の外輪と内輪との電圧差が大きくなるため、軸電圧がより高くなる。
【０００６】
更に、固定子とブラケットが独立するために、モータを取り付ける外部環境によって、軸電圧が変動しやすくなるという課題があった。
【０００７】
電食は軸受内輪と軸受外輪間に発生した軸電圧によって、軸受内輪−玉−軸受外輪間に軸電流が流れるために、軸受材料がアーク放電によって損傷を受ける現象であり、電食を抑制するために、以下のような対策が考えられている。
（１）軸受内輪と軸受外輪間の軸電圧を低減する。
（２）軸受内輪−玉−軸受外輪間の軸電流を低減する。
【０００８】
上記（１）の具体的方法としては、軸受の内輪と外輪との間に、導電性の接触型シールを備えることで軸受内外輪間の軸電圧を低減させる方法（例えば、特許文献１参照）が、開示されている。または、導電性のシール材のほかに潤滑剤を導電性とすることで、軸受内外輪間の軸電圧を低減させる方法（例えば、特許文献２参照）が、開示されている。
【０００９】
上記（２）の具体的方法としては、軸受内部の鉄ボールを非導電性のセラミックボールに変更することが挙げられるが、電食抑制の効果は非常に高いために、コストが高い課題があり、汎用的な電動機には採用できない。そのために、軸受は、外輪または内輪におけるハウジングまたは軸に取り付けられる面にセラミックスの絶縁層形成する方法（例えば、特許文献３参照）が開示されている。
【００１０】
ここで、静電容量と抵抗とを並列接続したときのインピーダンスは、Ｚ＝１／ｊωＣ＋Ｒの関係式で表される。ここで、Ｚはインピーダンス、ｊは虚数、ωは角周波数、Ｃは静電容量、Ｒは抵抗を示す。この式からわかるように、静電容量が大きくまたは抵抗が小さくなるとインピーダンスは低くなる。また、逆に静電容量が小さく、または抵抗が大きくなるとインピーダンスは高くなる。
【先行技術文献】
【特許文献】
【００１１】
【特許文献１】特開２０１０−７７３８号公報
【特許文献２】特開２００９−２６４４０１号公報
【特許文献３】特開２００９−２９９９０４号公報
【発明の概要】
【発明が解決しようとする課題】
【００１２】
しかしながら、例えば特許文献１のような従来の方法は、軸受の内輪と外輪との間に、導電性の接触型シールを設けて、固定子と回転子との間を短絡させる方法なので、接触部分が摩耗することで導電性が低下するので、長期的に軸電圧を抑制するのは困難を伴うと考察された。
【００１３】
また、例えば特許文献２のような従来の方法では、導電性のシール材のほかに潤滑剤を導電性とすることで、軸受内外輪間の軸電圧を低減する方法であり、導電性シールには前記摩耗の課題があり、さらに導電性潤滑剤は、固体または液体の導電材を油中に分散したものであるが、固体の導電材は長期的に安定した導電性を維持するのが困難であり、液体の導電材は軸受やシャフト自体を腐食させることも考察された。
【００１４】
また、例えば特許文献３のような従来の方法は、電食を防止する効果はあるものの、軸受の一部に安定にセラミックスを保持させるために、物理的な形状の工夫が必要であり、軸受作成の際に複雑な工程が必要になり、セラミックスボールほどではないにしろ軸受コストが大幅に増加するということも考察された。
【００１５】
また、軸受内輪−玉−軸受外輪間の軸電流を低減する方法は、軸受内輪−玉−軸受外輪間を絶縁する方法であり、軸電流は低減するが、軸電圧は増加するために、軸受内輪−玉−軸受外輪間の絶縁が崩れた瞬間に大きな軸電流が流れるために、電食発生を加速することも考察された。
【００１６】
本発明の軸受および電動機は、上記考察から勘案される課題に鑑みなされたものであり、軸受における電食の発生を抑制する電動機およびそれを備えた電気機器を提案するものである。
【課題を解決するための手段】
【００１７】
上記の課題点を解決するための第１の発明は、互いに対向して回転可能に配置された内側駆動輪及び外側駆動輪と、この内側駆動輪及び外側駆動輪に挟まれて転動可能に組み込まれた複数の転動体と、これら転動体を一定間隔で回転自在に保持する保持器とを備える玉軸受において、前記保持器は電気的伝導性を有する樹脂にて構成される玉軸受である。
【００１８】
また、第２の発明は、第１の発明の玉軸受において、保持器を構成する樹脂の電気的導電性の上限値が１×１０4Ω／ｍである玉軸受である。
【００１９】
また、第３の発明は、巻線を巻装した固定子鉄心をモールド樹脂によってモールドした固定子と、前記固定子に対向して周方向に永久磁石を保持した回転体と、前記回転体の中央を貫通するように前記回転体を締結したシャフトとを含む回転子と、前記シャフトを支持する玉軸受と、前記玉軸受を固定する２つの導電性のブラケットとを備え、前記２つのブラケットを電気的に接続し、かつ、前記シャフトと前記回転体の外周との間に誘電体層を設けた電動機において、互いに対向して回転可能に配置された内側駆動輪及び外側駆動輪と、この内側駆動輪及び外側駆動輪に挟まれて転動可能に組み込まれた複数の転動体と、これら転動体を一定間隔で回転自在に保持する保持器とを備える玉軸受であり、前記保持器は電気的伝導性を有する樹脂にて構成される玉軸受を具備するモールドモータ。
【００２０】
このような構成により、玉軸受の内輪−玉−外輪間に存在する静電容量に新たに内輪−保持器−外輪の静電容量が並列に接続されるので、玉軸受全体の静電容量が大きくなり、軸受の内外輪間で発生する軸電圧を低減することが可能となる。
【００２１】
特に、モールドモータにおいては、軸受を保持するブラケットと固定子間とのインピーダンスが高くなり、回転子とのインピーダンス差が大きいため、軸電圧が高くなる傾向があるが、本発明の玉軸受を適用することで電食発生を低減することができる。
【００２２】
また、好ましくは、巻線を巻装した固定子鉄心をモールド樹脂によってモールドした固定子と、前記固定子に対向して周方向に永久磁石を保持した回転体と、前記回転体の中央を貫通するように前記回転体を締結したシャフトとを含む回転子と、前記シャフトを支持する軸受と、前記軸受を固定する２つの導電性のブラケットとを備えたモールドモータにおいて、前記２つのブラケットを電気的に接続し、かつ、前記シャフトと前記回転体の外周との間に誘電体層を設けた構成として、軸受を保持するブラケットと固定子間とのインピーダンス差を小さくした構造のモータに、本発明の軸受を適用することで軸受電食の発生を防止することが可能となる。
【発明の効果】
【００２３】
以上のように、本発明の玉軸受は、固定子側と回転子側のインピーダンス不整合による軸電圧の上昇を防止して、軸電圧を低く抑えることが可能となるので電食発生を防止する玉軸受およびそれを備えたモールドモータを提供することができる。
【図面の簡単な説明】
【００２４】
【図１】本発明の実施例１におけるブラシレスモータの半断面図
【図２】実施例１の軸電圧波形を示す図
【図３】比較例の軸電圧波形を示す図
【発明を実施するための形態】
【００２５】
以下、本発明について、図面及び表を参照しながら説明する。なお、以下の実施例によって本発明が限定されるものではない。
（実施の形態１）
図１は、本発明の実施の形態１における電動機の断面を示す構造図である。本実施の形態では、電気機器としてのエアコン用に搭載され、送風ファンを駆動するためのブラシレスモータである電動機の一例を挙げて説明する。また、本実施の形態では、回転子が固定子の内周側に回転自在に配置されたインナロータ型の電動機の例を挙げて説明する。
【００２６】
図１において、固定子鉄心１１には、固定子鉄心１１を絶縁するインシュレータとしての樹脂２１が介在して、固定子巻線１２が巻装されている。そして、このような固定子鉄心１１は、他の固定部材とともにモールド材としての絶縁樹脂１３にてモールド成形されている。本実施の形態では、これらの部材をこのようにモールド一体成形することにより、外形が概略円筒形状をなす固定子１０が構成されている。
【００２７】
固定子１０の内側には、空隙を介して回転子１４が挿入されている。回転子１４は、回転子鉄心３１を含む円板状の回転体３０と、回転体３０の中央を貫通するようにして回転体３０を締結したシャフト１６とを有している。
【００２８】
回転体３０は、固定子１０の内周側に対向して周方向に永久磁石であるフェライト樹脂の磁石３２を保持している。回転体３０は、図１に示すように、最外周部のフェライト樹脂の磁石３２から内周側のシャフト１６に向かって、回転子鉄心３１の外周部を構成する外側鉄心３１ａ、誘電体層５０、回転子鉄心３１の内周部を構成する内側鉄心３１ｂと順に配置するような構造を有している。図１では、回転体３０として、これらの回転子鉄心３１、誘電体層５０およびフェライト樹脂の磁石３２が一体成形された構成例を示している。
【００２９】
このように、固定子１０の内周側と回転体３０の外周側とが対向するように配置されている。
【００３０】
回転子１４のシャフト１６には、シャフト１６を支持する２つの軸受１５ａと軸受１５ｂが取り付けられている。軸受１５ａと軸受１５ｂは、複数の鉄ボールを有する円筒形状のベアリングであり、軸受１５ａと軸受１５ｂの内輪側がシャフト１６に固定されている。図１では、シャフト１６がブラシレスモータ本体から突出した側となる出力軸側において、軸受１５ａがシャフト１６を支持し、その反対側（以下、反出力軸側と呼ぶ）において、軸受１５ｂがシャフト１６を支持している。
【００３１】
そして、これらの軸受１５ａと軸受１５ｂは、それぞれ導電性を有する金属製のブラケットにより、軸受１５ａと軸受１５ｂの外輪側が固定されている。図１では、出力軸側の軸受１５ａが出力軸側ブラケット１７により固定され、反出力軸側の軸受１５ｂが反出力軸側ブラケット１９により固定されている。以上のような構成により、シャフト１６が２つの軸受１５ａと軸受１５ｂに支承され、回転子１４が回転自在に回転する。
【００３２】
さらに、このブラシレスモータには制御回路を含めた駆動回路を実装したプリント基板１８が内蔵されている。このプリント基板１８を内蔵したのち、出力軸側ブラケット１７を固定子１０に圧入することにより、ブラシレスモータが形成される。
【００３３】
また、プリント基板１８には、巻線の電源電圧Ｖｄｃ、制御回路の電源電圧Ｖｃｃおよび回転数を制御する制御電圧Ｖｓｐを印加するリード線や制御回路のグランド線などの接続線２０が接続されている。
【００３４】
なお、駆動回路を実装したプリント基板１８上のゼロ電位点部は、大地のアースおよび１次側（電源）回路とは絶縁され、大地のアースおよび１次側電源回路の電位とは、フローティングされた状態である。
【００３５】
ここで、ゼロ電位点部とは、プリント基板１８上における基準電位としての０ボルト電位の配線のことであり、通常グランドと呼ばれるグランド配線を示している。接続線２０に含まれるグランド線は、このゼロ電位点部、すなわちグランド配線に接続される。
【００３６】
また、駆動回路が実装されたプリント基板１８に接続される巻線の電源電圧を供給する電源回路、制御回路の電源電圧を供給する電源回路、制御電圧を印加するリード線および制御回路のグランド線などは、巻線の電源電圧を供給する電源回路に対する１次側（電源）回路、制御回路の電源電圧を供給する電源回路に対する１次側（電源）回路、これら１次側（電源）回路と接続された大地のアースおよび独立して接地された大地のアースのいずれとも電気的に絶縁されている。
【００３７】
つまり、１次側（電源）回路電位および大地のアースの電位に対して、プリント基板１８に実装された駆動回路は電気的に絶縁された状態であることから、電位が浮いた状態となっている。これは電位がフローティングされた状態とも表現され、よく知られている。
【００３８】
また、このようなことから、プリント基板１８に接続される巻線の電源電圧を供給する電源回路および制御回路の電源電圧を供給する電源回路の構成は、フローティング電源とも呼称され、これもよく知られた表現である。
【００３９】
以上のように構成された本ブラシレスモータに対して、接続線２０を介して各電源電圧および制御信号を供給することにより、プリント基板１８の駆動回路により固定子巻線１２が駆動される。固定子巻線１２が駆動されると、固定子巻線１２に駆動電流が流れ、固定子鉄心１１から磁界が発生する。そして、固定子鉄心１１からの磁界とフェライト樹脂の磁石３２からの磁界とにより、それら磁界の極性に応じて吸引力および反発力が生じ、これらの力によってシャフト１６を中心に回転子１４が回転する。
【００４０】
次に、本ブラシレスモータのより詳細な構成について説明する。
【００４１】
まず、本ブラシレスモータは、上述するように、シャフト１６が２つの軸受１５ａと軸受１５ｂで支持されるとともに、それぞれの軸受１５ａと軸受１５ｂもブラケットにより固定され、支持されている。さらに、上述するようなクリープによる不具合を抑制するため、本実施の形態では、それぞれの軸受１５ａと軸受１５ｂが、導電性を有する金属製のブラケットにより固定されるような構成としている。
【００４２】
すなわち、本実施の形態では、予め鋼板で加工され寸法精度の良好な導電性のブラケットを軸受１５ａと軸受１５ｂの固定に採用している。特に、電動機の高出力化が要求される場合には、このような構成とすることがより好ましい。
【００４３】
具体的には、まず、反出力軸側の軸受１５ｂに対して、軸受１５ｂの外周径とほぼ等しい外周径の反出力軸側ブラケット１９により固定している。また、この反出力軸側ブラケット１９は、絶縁樹脂１３とモールド一体成形されている。
【００４４】
すなわち、図１に示すように、反出力軸側における絶縁樹脂１３の形状は、本ブラシレスモータ本体から反出力軸方向へと突出する本体突出部１３ａを有する形状である。この本体突出部１３ａの本体内部側に、インナーブラケットとして反出力軸側ブラケット１９を配置し、絶縁樹脂１３とモールド一体成形している。反出力軸側ブラケット１９は中空円筒状となるカップ形状を有しており、より具体的には、一方を開いた円筒部１９ａと、開いた側の円筒端部から外方向に少しだけ広がった環状のつば部１９ｂとを有している。
【００４５】
円筒部１９ａの内周径は軸受１５ｂの外周径とほぼ等しく、円筒部１９ａに軸受１５ｂを圧入することにより、軸受１５ｂは反出力軸側ブラケット１９を介するようにして絶縁樹脂１３にも固定されることになる。このように構成することで、軸受１５ｂの外輪側は金属製の反出力軸側ブラケット１９に固定されるため、クリープによる不具合を抑制できる。また、つば部１９ｂの外周径は軸受１５ｂの外周径よりも少しだけ大きくしている。
【００４６】
すなわち、つば部１９ｂの外周径は、軸受１５ｂの外周径よりも大きく、かつ少なくとも回転体３０の外周径よりも小さくしている。反出力軸側ブラケット１９をこのような形状とすることにより、例えばつば部が回転体３０の外周を超えて固定子１０まで広がるような構造に比べて、コスト高となる金属材料の使用を抑制している。
【００４７】
また、このように金属製の反出力軸側ブラケット１９の面積を抑制し、さらに絶縁樹脂１３で反出力軸側ブラケット１９の外郭を覆うようにモールド一体成形しているため、軸受１５ｂから発生する騒音を抑制することもできる。
【００４８】
次に、出力軸側の軸受１５ａに対しては、固定子１０の外周径とほぼ等しい外周径の出力軸側ブラケット１７により固定している。出力軸側ブラケット１７は概略円板形状であり、円板の中央部に軸受１５ａの外周径とほぼ等しい径の突出部を有しており、この突出部の内側は中空となっている。
【００４９】
プリント基板１８を内蔵したのち、このような出力軸側ブラケット１７の突出部の内側を軸受１５ａに圧入するとともに、出力軸側ブラケット１７の外周に設けた接続端部と固定子１０の接続端部とが嵌合するように、出力軸側ブラケット１７を固定子１０に圧入することにより、本ブラシレスモータが形成される。このように構成することで、組立作業の容易化を図るとともに、軸受１５ａの外輪側は金属製の出力軸側ブラケット１７に固定されるため、クリープによる不具合も抑制している。
【００５０】
また、反出力軸側ブラケット１９には、反出力軸側ブラケットの導通ピン２２が予め電気的に接続されている。すなわち、図１に示すように、反出力軸側ブラケット１９のつば部１９ｂに反出力軸側ブラケットの導通ピン２２の一方の先端部２２ａが接続されている。反出力軸側ブラケットの導通ピン２２は絶縁樹脂１３の内部に配置され、反出力軸側ブラケット１９と同様に絶縁樹脂１３とモールド一体成形されている。
【００５１】
なお、反出力軸側ブラケットの導通ピン２２を電動機内部として絶縁樹脂１３の内部に配置することで、反出力軸側ブラケットの導通ピン２２を錆や外力などから予防し、使用環境や外部応力などに対して、信頼性の高い電気的接続としている。反出力軸側ブラケットの導通ピン２２は、絶縁樹脂１３の内部において、つば部１９ｂから本ブラシレスモータの外周方向へと延伸し、本ブラシレスモータの外周近辺からシャフト１６とほぼ平行して出力軸側へとさらに延伸している。そして、絶縁樹脂１３の出力軸側の端面から、反出力軸側ブラケットの導通ピン２２の他方の先端部２２ｂが露出している。
【００５２】
さらに、先端部２２ｂには、反出力軸側ブラケットの導通ピン２２を出力軸側ブラケット１７に電気接続するための出力軸側ブラケットの導通ピン２３が接続されている。すなわち、出力軸側ブラケット１７を固定子１０に圧入したとき、出力軸側ブラケットの導通ピン２３が出力軸側ブラケット１７に接触し、出力軸側ブラケット１７と出力軸側ブラケットの導通ピン２３との導通が確保される。
【００５３】
このような構成により、出力軸側ブラケット１７と反出力軸側ブラケット１９との２つのブラケットは、反出力軸側ブラケットの導通ピン２２を介して電気的に接続される。また、出力軸側ブラケット１７および反出力軸側ブラケット１９は、絶縁樹脂１３により固定子鉄心１１と絶縁された状態で、この２つのブラケットが電気的に接続される。
【００５４】
そして、本実施の形態では、回転体３０において、シャフト１６と回転体３０の外周との間に誘電体層５０、シャフト１６とシャフトを支持する軸受１５ａおよび１５ｂとの間に誘電体層５１を設けている。
【実施例１】
【００５５】
図１に示すような構成で、シャフトと回転体の外周との間の誘電体層５０にはＰＢＴ樹脂を用いて樹脂厚を２．５ｍｍとし、これを樹脂モールドした固定子と組み合わせてブラシレスモータを作成して、軸電圧を測定する。
【００５６】
軸受は、小型精密玉軸受として６０８（内径８ｍｍ、外径２２ｍｍ）を使用し、グリースにちょう度２４０のものを使用し、軸受内の転動体を保持する保持器に無機充填剤を配合して体積抵抗が１×１０4Ω／ｍとした樹脂を用いて軸受を作成する。
【００５７】
軸電圧の測定時には、同一固定子、回転子を使用し、それぞれの軸受を入れ替えて軸電圧を測定する。
【００５８】
本構成での軸電圧波形を、図２に示すが、ＰＷＭ駆動の基準となるキャリア電圧波形が乱れなく、かつ軸電圧が２Ｖ以下と低くなっていることが確認できた。
（比較例１）
図１と同一の回転子および固定子を用いて、小型精密玉軸受として６０８（内径８ｍｍ、外径２２ｍｍ）を使用し、グリースにちょう度２４０のものを使用し、軸受内の転動体を保持する保持器として体積抵抗が１×１０12Ω／ｍとした樹脂を用いて軸受を作成する。
【００５９】
本構成での軸電圧波形を、図３に示すが、ＰＷＭ駆動の基準となるキャリア電圧波形に乱れがあり、かつ軸電圧が４Ｖ以上と高くなっていることが確認できた。
【００６０】
以上説明するように、本発明の軸受は、対向して回転可能に配置された内外の駆動輪と、これら内外の駆動輪に挟まれて転動可能に組み込まれた複数の転動体と、これら転動体を一定間隔で回転自在に保持する保持器を備える玉軸受であって、この保持器を電気伝導性を持つ樹脂とする構成としている。
【００６１】
このため、軸受外輪−玉−軸受内輪の静電容量に、軸受外輪−保持器−軸受内輪の静電容量が並列に加わるために、軸受の静電容量が増加するので、回転子側インピーダンスと固定子側のインピーダンスとの差を吸収できるので、軸電圧を下げることが可能となる。
【００６２】
また、外部機器と接続する場合、負荷のインピーダンスが変化しても影響を受けにくく、外部負荷、環境変化しても電食の発生がないモールドモータを提供することができる。
また、本発明の電動機を電気機器に組み込むことにより、軸受における電食の発生を抑制した電動機を備えた電気機器を提供することができる。
【産業上の利用可能性】
【００６３】
本発明の電動機は、軸電圧を減少させることが可能であり、軸受の電食発生を抑制するのに最適である。このため、主に電動機の低価格化および高寿命化が要望される電気機器で、例えばエアコン室内機、エアコン室外機、給湯機、空気清浄機などに搭載される電動機に有効である。
【符号の説明】
【００６４】
１０  固定子
１１  固定子鉄心
１２  固定子巻線
１３  絶縁樹脂
１４  回転子
１５ａ  軸受
１５ｂ  軸受
１６  シャフト
１７  出力軸側ブラケット
１８  プリント基板
１９  反出力軸側ブラケット
２０  接続線
２１  樹脂（インシュレータ）
２２  反出力軸側ブラケットの導通ピン
２３  出力軸側ブラケットの導通ピン
３０  回転体
３１  回転子鉄心
３１ａ  外側鉄心
３１ｂ  内側鉄心
３２  磁石
５０  誘電体層
５１  誘電体層
【図１】
2013174280.tif 000003
【図２】
2013174280.tif 000004
【図３】
2013174280.tif 000005